(57)【要約】【課題】外径の異なる管を連結した伸縮可能な２本の支持管を平行に配置し、これら支持管上に着脱不能な固定棚および着脱可能な取替棚を取り付けた伸縮棚であって、取替棚の位置ずれを防止することができるとともに、取替棚の配置についての自由度が大きい伸縮棚を提供する。【解決手段】固定棚４、６に、取替棚８、１０、１２と係合して取替棚を係止させる係止部２４を設ける。また、取替棚の下面に、支持管を挿入する挿入凹部を設けるとともに、この挿入凹部の上端部に、挿入凹部と連通するスリット状切り込みを高さ方向に沿って形成する。【選択図】        図５
2004216032.tif 000002
【特許請求の範囲】
【請求項１】
伸縮可能な複数の支持管を平行に配置し、これら複数の支持管上に着脱不能な固定棚および着脱可能な取替棚を取り付けてなる伸縮棚において、前記固定棚に、取替棚と係合して該取替棚を係止させる係止部を設けたことを特徴とする伸縮棚。
【請求項２】
外径の異なる複数の管を連結した伸縮可能な複数の支持管を平行に配置し、これら複数の支持管上に着脱可能な取替棚を取り付けてなる伸縮棚において、前記取替棚の下面に前記支持管を挿入する挿入凹部を設けるとともに、この挿入凹部の上端部に、該挿入凹部と連通するスリット状切り込みを高さ方向に沿って形成したことを特徴とする伸縮棚。
【請求項３】
外径の異なる複数の管を連結した伸縮可能な複数の支持管を平行に配置し、これら複数の支持管上に着脱不能な固定棚および着脱可能な取替棚を取り付けてなる伸縮棚において、前記固定棚に、取替棚と係合して該取替棚を係止させる係止部を設け、かつ、前記取替棚の下面に前記支持管を挿入する挿入凹部を設けるとともに、この挿入凹部の上端部に、該挿入凹部と連通するスリット状切り込みを高さ方向に沿って形成したことを特徴とする伸縮棚。
【請求項４】
固定棚および取替棚はそれぞれ側壁を有し、前記係止部は、固定棚の側壁に設けられた折り返しであって、この折り返し内に取替棚の側壁を挿入することにより取替棚を係止させるものであることを特徴とする請求項１または３に記載の伸縮棚。
【請求項５】
前記挿入凹部は略逆Ｕ字状をなし、この挿入凹部の入口の開口幅は、支持管を構成する複数の管の内の最も細い管の外径とほぼ等しいことを特徴とする請求項２または３に記載の伸縮棚。
【請求項６】
前記支持管は、太管の中空部に、該太管よりも外径が小さい細管を進退可能に挿入したものであることを特徴とする請求項１〜５のいずれか１項に記載の伸縮棚。
【請求項７】
複数の支持管の長手方向両端部に固定棚が取り付けられ、これらの両固定棚の間において、支持管に取替棚が取り付けられていることを特徴とする請求項１〜６のいずれか１項に記載の伸縮棚。
【請求項８】
両固定棚の下面にそれぞれ複数の脚体が取り付けられることによりテーブル状をなしていることを特徴とする請求項１〜７のいずれか１項記載の伸縮棚。
【請求項９】
請求項１〜８のいずれか１項に記載の伸縮棚を組み立てるための部材が箱に収納されていることを特徴とする伸縮棚組み立てセット。
【請求項１０】
伸縮棚を組み立てるための部材として、複数の支持管の長手方向両端部に固定棚が取り付けられ、これらの両固定棚の間において、支持管に取替棚が取り付けられてなる棚板部材と、前記両固定棚の下面に取り付けられて脚体を形成する複数の脚体部材とが箱に収納されていることを特徴とする請求項９に記載の伸縮棚組み立てセット。
【発明の詳細な説明】
【０００１】
【発明の属する技術分野】
本発明は、押入の内部に配置する整理棚等として使用される伸縮棚と、この伸縮棚を組み立てるための組み立てセットに関する。
【０００２】
【従来の技術】
従来、押入の内部に整理棚として配置される伸縮棚として、特許第３３５８１７３号公報に記載されたものがある。この伸縮棚は、左右の支脚間に前後に架橋した棚受用横桟上に適宜着脱自在な取替棚を掛止してなる置棚において、上記棚受用横桟は外管に内管を伸縮可能に挿通してなると共に、上記外管の伸縮方向に一定長を有する固定棚は、その後方裏面に設けた取付孔に内管側の支脚を嵌入すると共に、当該固定棚の先端の支持部に対して上記外管をその伸縮に応じて摺動自在に挿通して該固定棚を水平に支持し、所定枚数の取替棚を前後の外管上に掛止したものである（特許文献１参照）。
【０００３】
【特許文献１】
特許第３３５８１７３号公報
【０００４】
【発明が解決しようとする課題】
しかし、特許第３３５８１７３号の伸縮棚は、取替棚を掛止する部分の外管の長さを取替棚の合計長さより長くした場合には、取替棚が動いて取替棚の位置がずれることがあった。また、取替棚を棚受用横桟の外管上のみに掛止するため、取替棚の配置についての自由度が小さいものであった。
【０００５】
本発明は、前述した事情に鑑みてなされたもので、取替棚の位置ずれを防止することができる伸縮棚を提供することを第１の目的とする。また、本発明は、取替棚の配置についての自由度が大きい伸縮棚を提供することを第２の目的とする。さらに、本発明は、取替棚の位置ずれを防止することができるとともに、取替棚の配置についての自由度が大きい伸縮棚を提供することを第３の目的とする。
【０００６】
【課題を解決するための手段】
本発明は、第１の目的を達成するため、伸縮可能な複数の支持管を平行に配置し、これら複数の支持管上に着脱不能な固定棚および着脱可能な取替棚を取り付けてなる伸縮棚において、前記固定棚に、取替棚と係合して該取替棚を係止させる係止部を設けたことを特徴とする伸縮棚（第１発明）を提供する。
【０００７】
また、本発明は、第２の目的を達成するため、外径の異なる複数の管を連結した伸縮可能な複数の支持管を平行に配置し、これら複数の支持管上に着脱可能な取替棚を取り付けてなる伸縮棚において、前記取替棚の下面に前記支持管を挿入する挿入凹部を設けるとともに、この挿入凹部の上端部に、該挿入凹部と連通するスリット状切り込みを高さ方向に沿って形成したことを特徴とする伸縮棚（第１発明）を提供する。
【０００８】
さらに、本発明は、第３の目的を達成するため、外径の異なる複数の管を連結した伸縮可能な複数の支持管を平行に配置し、これら複数の支持管上に着脱不能な固定棚および着脱可能な取替棚を取り付けてなる伸縮棚において、前記固定棚に、取替棚と係合して該取替棚を係止させる係止部を設け、かつ、前記取替棚の下面に前記支持管を挿入する挿入凹部を設けるとともに、この挿入凹部の上端部に、該挿入凹部と連通するスリット状切り込みを高さ方向に沿って形成したことを特徴とする伸縮棚（第３発明）を提供する。
【０００９】
第１発明では、固定棚の係止部に取替棚を係合させ、これにより取替棚を固定棚に係止させる。そのため、取替棚を配置する部分の支持管の長さが取替棚の合計長さより長い場合でも、取替棚が動いて取替棚の位置がずれることを防止することができる。また、第１発明では、固定棚の係止部に取替棚を係合させるので、伸縮棚全体の強度を高めることができるという作用効果、および伸縮棚全体のガタツキをなくして安定性を高めることができるという作用効果も得ることができる。
【００１０】
第２発明では、取替棚の挿入凹部（支持管を挿入して支持管に取替棚を取り付けるための凹部）に、前記スリット状切り込みを連設したので、挿入凹部に挿入する管の外径が挿入凹部の入口の開口幅より大きい場合でも、挿入凹部に管を押し込むときに、スリット状切り込みの作用によって挿入凹部の入口の開口幅が広がる。そのため、挿入凹部に種々の外径の管を挿入することができるので、取替棚を外径の大きい管に取り付けたり、外径の小さい管に取り付けたり、外径の大きい管と外径の小さい管にまたがって取り付けたりすることが可能となり、取替棚の配置についての自由度が大きくなる。
【００１１】
第３発明では、上述した第１発明および第２発明の両方の作用効果を得ることができる。
【００１２】
この場合、第１発明および第３発明では、固定棚および取替棚にそれぞれ側壁を設け、係止部を、固定棚の側壁に設けられた折り返しであって、この折り返し内に取替棚の側壁を挿入することにより取替棚を係止させるものとすることができる。
【００１３】
また、第２発明および第３発明では、挿入凹部を略逆Ｕ字状とし、この挿入凹部の入口の開口幅を、支持管を構成する複数の管の内の最も細い管の外径とほぼ等しくすることができる。
【００１４】
【発明の実施の形態】
以下、本発明につきさらに詳しく説明する。図１および図２は本発明に係る伸縮棚の一例を示すもので、図１は斜め上から見た一部省略斜視図、図２は斜め下から見た斜視図である。なお、図２は組み立て工程も示している。
【００１５】
本例の伸縮棚は、平行に配置された２本の同じ長さの伸縮可能な支持管２と、支持管２の長手方向一端部に着脱不能に取り付けられた第１の固定棚４と、支持管２の長手方向他端部に着脱不能に取り付けられた第２の固定棚６と、第１の固定棚４と第２の固定棚６との間において支持管２に着脱可能に取り付けられた第１の取替棚８、第２の取替棚１０および第３の取替棚１２と、第１の固定棚４の外側両隅部および第２の固定棚６の外側両隅部にそれぞれ取り付けられた計４本の脚体１４と、第１の固定棚４に取り付けられた２本の脚体１４および第２の固定棚６に取り付けられた２本の脚体１４の下端部にそれぞれ取り付けられた２つの脚体固定部材１６とを有する。第２の固定棚６の長さは第１の固定棚４の長さより短く、第２の取替棚１０の長さは第１の取替棚８の長さより短く、第３の取替棚１２の長さは第２の取替棚１０の長さより短い。
【００１６】
支持管２は、図３に示すように、断面円形の太管１８の中空部に、この太管１８よりも外径が小さい断面円形の細管２０を進退可能に挿入したものである。また、各脚体１４は断面円形の管で、固定棚４、６の下面に形成された挿入溝１７に挿入されることにより固定棚４、６に取り付けられている。なお、太管、細管および脚体は外面が合成樹脂で被覆された鋼管からなり、固定棚、取替棚および脚体固定部材は合成樹脂からなる。
【００１７】
本例の伸縮棚において、各固定棚４、６、各取替棚８、１０、１２は、それぞれ長さ方向両端側に側壁を有する。また、図４、図５に示すように、固定棚４、６の内側側壁２２には、取替棚と係合して取替棚を係止させる係止部２４がそれぞれ設けられている。この係止部２４は、固定棚４、６の内側側壁２２に設けられた折り返しであって、この折り返し２４内に取替棚８、１０、１２の側壁２６を挿入することにより、固定棚４、６に取替棚８、１０、１２を係止させるものである。なお、本例では、折り返し２４は各側壁２２にそれぞれ４個ずつ設けられている。
【００１８】
また、本例の伸縮棚において、各取替棚８、１０、１２の両側壁２６には、図６〜図８に示すように、支持管２を挿入する略逆Ｕ字状の挿入凹部２８が設けられているとともに、この挿入凹部２８の上端部に、挿入凹部２８と連通するスリット状切り込み３０が高さ方向に沿って形成されている。この場合、本例では、挿入凹部２８の入口の開口幅ａは、支持管２の細管２０の外径とほぼ等しく形成されている。なお、固定棚４、６では、支持管２は図４に示す挿入孔２５に挿入される。
【００１９】
本例の伸縮棚は、固定棚の係止部に取替棚を係合させて、取替棚を固定棚に係止させるので、これにより取替棚を配置する部分の支持管の長さが取替棚の合計長さより長い場合でも、取替棚が動いて取替棚の位置がずれることを防止することができる。この点を図９〜図１１の模式図を用いて説明する。まず、図９に示すように、両固定棚４、６の間に１つの取替棚（取替棚８、１０、１２の内の１つ）を配置する場合は、その取替棚の両側壁２６を固定棚４、６の折り返し２４内に挿入する。また、図１０に示すように、両固定棚４、６の間に２つの取替棚（取替棚８、１０、１２の内の２つ）を配置する場合は、両取替棚の一方の側壁２６をそれぞれ固定棚４、６の折り返し２４内に挿入する。さらに、図１１に示すように、両固定棚４、６の間に３つの取替棚８、１０、１２を配置する場合は、両端の取替棚の一方の側壁２６をそれぞれ固定棚４、６の折り返し２４内に挿入する。なお、図１１の配置では、中央の取替棚は固定棚に係止されないので、取替棚を配置する部分の支持管の長さが取替棚の合計長さより長い場合は、中央の取替棚が動く可能性がある。しかし、この場合でも、両端の取替棚は固定棚に係止されているので、取替棚の位置ずれを防止することができるという本発明の効果を十分に得ることができる。
【００２０】
また、本例の伸縮棚は、取替棚８、１０、１２の挿入凹部２８に太管１８および細管２０の両方を挿入することができる。すなわち、本例では、挿入凹部２８に太管１８を挿入するときには、スリット状切り込み３０の作用によって挿入凹部２８の入口の開口幅ａが広がり、挿入凹部２８に太管１８を挿入することが可能となる。したがって、本例では、図１２に示す取替棚８のように太管１８のみに取付けたり、取替棚１２のように細管２０のみに取付けたり、取替棚１０のように太管１８と細管２０にまたがって取り付けたりすることができ、取替棚の配置についての自由度が大きくなる。
【００２１】
本例の伸縮棚は、組み立て式のもので、部材が箱に収納された伸縮棚組み立てセットとして製造・販売がなされる。この組み立てセットは、部材として、図２に示すように、支持管２、２の長手方向両端部に固定棚４、６が取り付けられ、これらの両固定棚４、６の間において、支持管２、２に取替棚８、１０、１２が取り付けられてなる棚板部材４０と、４本の脚体部材１４と、２つの脚体固定部材１６とが箱に収納される。
【００２２】
なお、上述した実施例では、固定棚の係止部を折り返しによって形成したが、係止部は取替棚と係合して取替棚を係止させることができるものであればどのような形状、構造であってもよく、例えば、取替棚の凸部あるいは凹部と係合する凹部あるいは凸部などであってもよい。また、取替棚の挿入凹部を略逆Ｕ字状としたが、半円状等の他の形状であってもよい。さらに、上記実施例の伸縮棚は、脚体を設けていわゆる置棚として構成したが、支持管内にバネを配するとともに、脚体を省略して、壁面間にバネの力により取り付けるいわゆる突っ張り棚として構成してもよい。
【００２３】
【発明の効果】
以上のように、第１発明の伸縮棚は、取替棚の位置ずれを防止することができる。第２発明の伸縮棚は、取替棚の配置についての自由度が大きい。第３発明の伸縮棚は、取替棚の位置ずれを防止することができ、また、取替棚の配置についての自由度が大きい。
【図面の簡単な説明】
【図１】本発明に係る伸縮棚の一例を示す斜め上から見た一部省略斜視図である。
【図２】図１の伸縮棚の斜め下から見た斜視図である。
【図３】図１の伸縮棚の支持管を示す概略図である。
【図４】図１の伸縮棚の固定棚を示す一部省略斜視図である。
【図５】同固定棚の一部省略断面図である。
【図６】図１の伸縮棚の取替棚を示す一部省略斜視図である。
【図７】同取替棚の一部省略正面図である。
【図８】同取替棚の挿入凹部に支持管を挿入した状態を示す一部省略斜視図である。
【図９】取替棚の配置態様の一例を示す模式図である。
【図１０】取替棚の配置態様の一例を示す模式図である。
【図１１】取替棚の配置態様の一例を示す模式図である。
【図１２】取替棚の配置態様の一例を示す模式図である。
【符号の説明】
２  支持管
４  第１の固定棚
６  第２の固定棚
８  第１の取替棚
１０  第２の取替棚
１２  第３の取替棚
１４  脚体
１８  太管
２０  細管
２２  固定棚の側壁
２４  係止部
２６  取替棚の側壁
２８  挿入凹部
３０  スリット状切り込み
４０  棚板部材
【図１】
2004216032.tif 000003
【図２】
2004216032.tif 000004
【図３】
2004216032.tif 000005
【図４】
2004216032.tif 000006
【図５】
2004216032.tif 000007
【図６】
2004216032.tif 000008
【図７】
2004216032.tif 000009
【図８】
2004216032.tif 000010
【図９】
2004216032.tif 000011
【図１０】
2004216032.tif 000012
【図１１】
2004216032.tif 000013
【図１２】
2004216032.tif 000014